(57)【要約】【課題】  電話機やデータ機器等の一般的な通信機能と、健康管理対象者の健康管理データを日常的に収集／蓄積する機能と、健康管理対象者の異変や健康状態の異常を通報する機能を一体化した通信装置を提供する。【解決手段】  各健康管理対象者の健康管理データを自通信装置と接続された所定の健康管理機器から入力および蓄積する手段と、所定の健康管理データを入力すべきタイミングの到来を表示する手段と、健康管理データに係る情報を所定の通報先へ送信する手段と、健康管理データが入力されない異変または許容範囲を超えた健康管理データに係る異常を通報する手段を有する。【選択図】    図１
2014052854.tif 000002
【特許請求の範囲】
【請求項１】
電話機能またはデータ通信機能を備え、自通信装置が管理する１以上の健康管理対象者の健康状態に係る健康管理データを入力または出力する通信装置であって、
前記健康管理データを自通信装置と接続された１以上の健康管理機器から入力する健康管理データ入力手段と、前記健康管理対象者の各々の健康管理データを入力すべきタイミングを管理する入力タイミング管理手段と、前記タイミング管理手段を参照して所定の健康管理データを入力すべきタイミングの到来を自通信装置が備える表示手段に表示する入力タイミング表示手段と、入力された健康管理データを蓄積する健康管理データ蓄積手段と、入力された健康管理データまたは前記健康管理データに係る情報を予め定められた送信先または前記健康管理対象者の各々と対応付けられた送信先へ送信する健康管理情報送信手段と、を有し、
前記入力タイミング表示手段が所定の健康管理データを入力すべきタイミングの到来を表示してから所定の期間が経過しても当該健康管理データが入力されない場合に、前記健康管理情報送信手段は前記健康管理対象者のいずれかの異変に係る情報を送信することを特徴とする健康管理機能を有する通信装置。
【請求項２】
電話機能またはデータ通信機能を備え、自通信装置が管理する１以上の健康管理対象者の健康状態に係る健康管理データを入力または出力する通信装置であって、
前記健康管理データを自通信装置と接続された１以上の健康管理機器から入力する健康管理データ入力手段と、入力された健康管理データを蓄積する健康管理データ蓄積手段と、前記健康管理対象者の各々の健康管理データの許容範囲に係る情報を予め登録しておく許容範囲登録手段と、入力された健康管理データまたは前記健康管理データに係る情報を予め定められた送信先または前記健康管理対象者の各々と対応付けられた送信先へ送信する健康管理情報送信手段と、を有し、
前記許容範囲登録手段を参照して前記蓄積されている健康管理データを分析し、許容範囲を超えている健康管理データを検知した場合に、前記健康管理情報送信手段は前記検知した健康管理データに対応している健康管理対象者の異変に係る情報を送信することを特徴とする健康管理機能を有する通信装置。
【発明の詳細な説明】
【技術分野】
【０００１】
本発明は、血圧・心拍数・心電図・脳波・体脂肪・体温等の健康管理データを日常的に収集し、健康管理センタ，医療機関，看護師，離れた家族等へ、健康管理対象者の健康状態に係る情報を送信する機能を、一般的な電話機やデータ機器に一体化した通信装置に関する。
【背景技術】
【０００２】
近年、高齢者人口の増大に伴い社会全体の高齢化が進展し、一人暮らしの高齢者も増加する傾向にある。そのために、一人暮らしの高齢者の健康状態を、その家族や看護士などの見守り者が常に把握することが望まれている。これを解決する技術として、血圧・心拍数・心電図・脳波・体脂肪・体温等の生体データを、ホストコンピュータにより自動解析し、会員個人の生体データを、インターネット網を介して標準ブラウザにより閲覧することが出来るシステムが知られている（例えば、特許文献１）。
【０００３】
しかしながら、特許文献１に記載された技術は、血圧・心拍数・心電図・脳波・体脂肪・体温等の生体データを、インターネット網を介して世界主要言語に対応したホストコンピュータに自動的に伝送し、蓄積・解析およびインターネット標準ブラウザで表示することにより、国内および世界中の会員に高品質の健康管理サービスを提供するものであり、大掛かりで柔軟性に欠けると共に、健康管理対象者個々の木目細かい健康管理や健康管理対象者毎に通報すべき医療機関が異なること等への配慮が不足している。
【先行技術文献】
【特許文献】
【０００４】
【特許文献１】特開２００２−２３０１５８号公報
【発明の概要】
【発明が解決しようとする課題】
【０００５】
そこで、本発明の課題は、電話機やデータ機器等の一般的な通信装置に所定の健康管理機器との接続機能を付与し、健康管理対象者の健康管理データを日常的に収集し、健康管理センタ，医療機関，看護師，離れた家族等へ、健康管理対象者の健康状態に係る健康管理情報を送信できる、家庭内設置に好適な健康管理機能を有する通信装置を提供することにある。
【課題を解決するための手段】
【０００６】
上記課題を解決するために、第１の発明は、電話機能またはデータ通信機能を備え、自通信装置が管理する１以上の健康管理対象者の健康状態に係る健康管理データを入力または出力する通信装置であって、前記健康管理データを自通信装置と接続された１以上の健康管理機器から入力する健康管理データ入力手段と、前記健康管理対象者の各々の健康管理データを入力すべきタイミングを管理する入力タイミング管理手段と、前記タイミング管理手段を参照して所定の健康管理データを入力すべきタイミングの到来を自通信装置が備える表示手段に表示する入力タイミング表示手段と、入力された健康管理データを蓄積する健康管理データ蓄積手段と、入力された健康管理データまたは前記健康管理データに係る情報を予め定められた送信先または前記健康管理対象者の各々と対応付けられた送信先へ送信する健康管理情報送信手段と、を有し、前記入力タイミング表示手段が所定の健康管理データを入力すべきタイミングの到来を表示してから所定の期間が経過しても当該健康管理データが入力されない場合に、前記健康管理情報送信手段は前記健康管理対象者のいずれかの異変に係る情報を送信することを特徴とする。
【０００７】
また、第２の発明は、電話機能またはデータ通信機能を備え、自通信装置が管理する１以上の健康管理対象者の健康状態に係る健康管理データを入力または出力する通信装置であって、前記健康管理データを自通信装置と接続された１以上の健康管理機器から入力する健康管理データ入力手段と、入力された健康管理データを蓄積する健康管理データ蓄積手段と、前記健康管理対象者の各々の健康管理データの許容範囲に係る情報を予め登録しておく許容範囲登録手段と、入力された健康管理データまたは前記健康管理データに係る情報を予め定められた送信先または前記健康管理対象者の各々と対応付けられた送信先へ送信する健康管理情報送信手段と、を有し、前記許容範囲登録手段を参照して前記蓄積されている健康管理データを分析し、許容範囲を超えている健康管理データを検知した場合に、前記健康管理情報送信手段は前記検知した健康管理データに対応している健康管理対象者の異変に係る情報を送信することを特徴とする。
【発明の効果】
【０００８】
本発明によれば、一般的な電話機やデータ機器としての機能と、所定の健康管理機器で測定する健康管理データを日常的に収集する機能と、健康管理センタ，医療機関，看護師，離れた家族等へ、健康管理対象者の健康状態に係る健康管理情報を送信する機能を一体化した、家庭内設置に好適な健康管理機能を有する通信装置を提供することが出来る。
【０００９】
また、健康管理データの収集および分析を家庭に設置された自通信装置で実行するので、健康管理対象者個々の木目細かい健康管理や健康管理対象者毎に異なる医療機関への通報等に対して柔軟に対応出来る。
【図面の簡単な説明】
【００１０】
【図１】本発明装置の内部ブロック構成を含む全体図
【図２】測定項目登録部１７の登録内容の例
【図３】本発明装置の動作フローチャート
【発明を実施するための形態】
【００１１】
以下、本発明の実施形態について、図面を用いて説明する。図１は、本発明による健康管理機能を有する通信装置１（以下、本装置１と略す）の内部ブロック構成を含む全体図である。まず、全体の構成と動作について説明する。
【００１２】
健康管理機器２は、本装置１と接続され、健康管理対象者の血圧・心拍数・心電図・脳波・体脂肪・体温等の健康管理データ（以下、データと略すこともある）を測定する。この健康管理機器２は携帯型であってもよいし、固定設置型であってもよい。なお、図１においては、健康管理機器２として、体重計／体脂肪計２−１および血圧計／脈拍計２−２を例示している。この健康管理機器２は、電話機やデータ機器等の家庭用の一般的な通信装置としても利用する本装置１へ、各健康管理対象者の健康状態に係る測定データ（健康管理データ）を、無線通信方式（例えば、無線ＬＡＮ）または有線通信方式（例えば、有線ＬＡＮ）により、出力する機能を有する。なお、これらの健康管理機器は家族全員で共用してもよいし、健康管理対象者毎の専用であってもよい。
【００１３】
本装置１は、健康管理機器２からのデータを収集して蓄積すると共に、日々のデータをグラフ化して表示する。これにより、健康管理対象者の健康状態を同居の家族が把握することが容易である。なお、日々のデータをグラフ化は、常時表示するようにしてもよいし、表示操作された時のみ表示するようにしてもよい。
【００１４】
また、本装置１は、収集して処理したデータまたはグラフ化されたデータを健康管理情報として、ネットワーク３を介して、予め定められた健康管理センタ５のサーバや各通報先４へ送信する。これにより、通報先４の各医療機関／看護師／家族等は各健康管理対象者の健康状態を遠隔地からいつでも把握可能である。なお、家族内に健康管理対象者が複数居る場合、通報先４は健康管理対象者毎に異なってもよい。
【００１５】
さらに、本装置１は、健康管理対象者の各健康管理データの測定時間帯、各健康管理データの許容範囲、異常を検知した際の通報先等を登録しておくことができる。これにより、各健康管理機器２にからデータを入力すべき測定時刻の到来を表示し、測定忘れを抑止できると共に、測定時刻から一定時間が経過しても当該健康管理データが入力されない場合や、許容範囲を超えた健康管理データを検知した場合に、所定の通報先へ健康管理対象者の異変や健康状態の異常を通報することが可能である。
【００１６】
次に、本装置１の内部ブロック構成について詳細に説明する。本装置１は、通信端末機能部１０、操作部１１、情報表示部１２、通信制御部１３、健康管理データ入力部１４、健康管理データ蓄積部１５、健康状態管理部１６、測定項目登録部１７、から構成される。
【００１７】
通信端末機能部１０は、電話機，ファクシミリ装置，電子メール装置，データ通信機器等の一般的な通信装置としての機能を提供する手段である。通信端末機能部１０の詳細な説明は割愛する。操作部１１は、テンキー，ファンクションキー，キーボード，タブレット，マウス等の本装置１を操作する手段である。情報表示部１２は、本装置１を操作する者へ、画像情報や音声情報を表示する手段である。通信制御部１３は、ネットワーク３（インターネット網，電話網，ＬＡＮ等）を介して通報先４  や健康管理センタ５（サーバ）と通信する手段である。
【００１８】
健康管理データ入力部１４は、各健康管理機器２（例えば、体重計／体脂肪計２−１や血圧計／脈拍計２−２）から各健康管理データを入力し、入力したデータを健康管理データ蓄積部１５へ出力する手段である。
【００１９】
健康管理データ蓄積部１５は、各健康管理データを、健康管理対象者，入力された日時等と対応付けて蓄積する手段である。
【００２０】
健康状態管理部１６は、各健康管理対象者の健康管理に係る処理を実行する手段であり、健康管理データ蓄積部１５に蓄積されたデータを処理して、健康管理対象者毎の日々の測定データをグラフ化して情報表示部１２に表示する。また、健康管理データ蓄積部１５に蓄積されたデータと測定項目登録部１７に登録された情報を参照し、測定項目毎の測定時刻の到来の表示や入力された健康管理データの異常を検知する。
【００２１】
図２は、測定項目登録部１７に登録された内容の１例であり、列２０１には健康管理対象者、列２０２には測定項目、列２０３には測定タイミング、列２０４には許容範囲、列２０５には通報先が登録されている。健康状態管理部１６は、列２０３を参照して測定項目毎の測定タイミングの到来を検知し、列２０４を参照して測定された健康管理データが許容範囲内か否かを検知する。
【００２２】
図３は本装置１の動作フローチャートである。以下、図１，図２を併用して、本装置１の動作フローを説明する。本フローは本装置１の電源が投入された状態からスタートする（Ｓ３００）。
【００２３】
新規の健康管理対象者の測定項目や登録済み健康管理対象者の測定項目の内容変更等の情報が入力されると（Ｓ３１０）、健康状態管理部１６は入力された測定項目の内容を測定項目登録部１７に登録する、または該当する項目を変更し（Ｓ３１１）、Ｓ３２０へ進む。なお、Ｓ３１０における測定項目情報の入力は、操作部１１を操作してデータを入力してもよいし、通信端末機能部１０の機能を利用する等して、管理センタのサーバ５等からダウンロードして入力してもよい。Ｓ３１０でＮＯであれば、Ｓ３１１をスキップしてＳ３２０へ進む。
【００２４】
Ｓ３２０において、健康状態管理部１６は、通信端末機能部１０および通信制御部１３と連携し、図２の列２０５に登録されている通報先（通報先４または健康管理センタ５）から健康管理情報の送信要求があるか否か、または現在時刻が予め設定されている定期的な送信タイミング（例えば、毎日の深夜１２時）か否かを判定し、ＹＥＳであれば所定の宛先へ所定の健康管理情報（例えば、前回送信時以降のデータ）を送信し（Ｓ３２１）、Ｓ３３０へ進む。Ｓ３２０でＮＯであれば、Ｓ３２１をスキップしてＳ３３０へ進む。
【００２５】
Ｓ３３０において、健康状態管理部１６は、測定項目登録部１７に登録されている入力タイミングの設定内容を参照し（図２の列２０３）、現在時刻がいずれかの測定項目に対応している健康管理データの入力タイミングか否かを判定し、ＹＥＳであれば、入力タイマーをスタートした上で（Ｓ３３１）、所定の測定項目の測定時刻が到来した旨を含む健康管理データ入力要求を情報表示部１２に表示し（Ｓ３３２）、要求した健康管理データの入力を待つ（Ｓ３４０）。Ｓ３３０でＮＯであれば、Ｓ３１０に戻る。
【００２６】
Ｓ３４０において、要求した健康管理データをいずれかの健康管理機器２から受信すると（Ｓ３４０，ＹＥＳ）、健康管理データ入力部１４は、受信したデータを所定のフォーマットに変換し、健康管理対象者別および測定項目別に健康管理データ蓄積部１５に蓄積する（Ｓ３４１）。そして、健康状態管理部１６は、測定項目登録部１７に登録されている許容範囲を参照して（図２の列２０４）、許容範囲を超えた健康管理データの有無を判定すると共に、最近の健康管理データを分析，処理し、健康管理情報（例えば、各データの推移グラフや許容範囲を超えそうな項目に関する注意点の説明等）を表示し（Ｓ３４２）、Ｓ３５０へ進む。
【００２７】
Ｓ３４０でＮＯの場合、タイマーが満了していなければ（Ｓ３４３，ＮＯ）、Ｓ３３２に戻り、タイマーが満了した場合は（Ｓ３４３，ＹＥＳ）、Ｓ３５１へ進む。
【００２８】
Ｓ３５０において、図２の列２０４を参照して許容範囲を超えた健康管理データを検知した場合（Ｓ３５０，ＹＥＳ）、健康状態管理部１６は、測定項目登録部１７に登録されている通報先を参照し（図２の列２０５）、指定の通報先に健康管理データの異常を通報する（Ｓ３５１）。Ｓ３５０でＮＯであれば、Ｓ３１０に戻る。なお、許容範囲は、担当の医師が健康管理対象者毎に範囲を設定してもよいし、一般的な性別，年齢に対応した平均的な適正の範囲を設定してもよい。
【００２９】
ところで、Ｓ３４０において、健康管理データ入力待ちのまま、タイマー（例えば６０分）が満了した場合（Ｓ３４３，ＹＥＳ）、健康状態管理部１６は、健康管理データが入力されない場合、健康管理対象者の身に異変がある可能性（例えば、家族の留守中に倒れた）を指定の通報先へ通報する（Ｓ３５１）。
【００３０】
なお、旅行や外出等で、定期的な健康管理データ入力が出来ないことが予め分かっている場合は、健康管理対象者自身または家族が操作部１１を操作して、その間のＳ３５１による異変／異常の通報を停止するように設定すればよい（図示せず）。また、この一時的な通報の停止処理は、スケジュール機能（例えば、通信端末機能部１０が備える機能）と連動して、自動的に処理することや、通信端末機能部１０の機能を利用して出先からリモートで停止処理することも可能である（図示せず）。
【００３１】
以上、本発明の一実施の形態について説明した。本実施形態によれば、健康管理者毎および測定項目毎に登録された入力タイミング，許容範囲，通報先に応じて、健康管理に係る木目細かい処理を実行できると共に、適切な通報先への異常または異変の可能を迅速に通報できる。
【００３２】
また、本装置は、一般的な電話機やデータ機器としての機能と、各健康管理機器で測定した各健康管理対象者の健康管理データを日常的に収集，蓄積して健康管理情報を表示すると共に、健康管理センタ，医療機関，看護師，離れた家族等へ健康管理情報を送信する機能を一体化しているので、新たな通信装置としての設置スペースが不要であると共に、日常的に使用されるので、装置としての故障を迅速に発見でき、メンテナンス性に優れている。従って、高齢者等の健康管理対象者の居る家族または見守るべき独居老人が住む住居に設置するのに好適である。
【００３３】
なお、本装置は、複数の健康管理者毎に異なる通報先を設定できるので、複数の健康管理者が暮らす、介護施設や福祉施設における、共用の通信装置としても好適である。
【００３４】
さらに、日々の測定データはネットワーク３を介して健康管理センタ５（サーバ）でも管理されるので、遠隔地の医療機関／看護師／家族等も、健康管理対象者の健康状態をいつでも把握出来ると共に、本装置が故障した場合やデータを消失した場合であっても、データの回復が可能である、
【符号の説明】
【００３５】
１  ・・・・本発明による健康管理機能を有する通信装置
２−１・・・体重／体脂肪計
２−２・・・血圧計／脈拍計
３  ・・・・ネットワーク
４  ・・・・通報先
５  ・・・・健康管理センタ（サーバ）
１０  ・・・通信端末機能部
１１  ・・・操作部
１２  ・・・情報表示部
１３  ・・・通信制御部
１４  ・・・健康管理データ入力部
１５  ・・・健康管理データ蓄積部
１６  ・・・健康状態管理部
１７  ・・・測定状態登録部
【図１】
2014052854.tif 000003
【図２】
2014052854.tif 000004
【図３】
2014052854.tif 000005